(57)【要約】      （修正有）【課題】簡単に組み立てられて、高さを調節できる、食器や展示物を陳列する組み立て展示棚を提供する。【解決手段】対向する側辺にそれぞれ対称に溝２０が設けられた略方形の組板１０を、２枚１組に組み合わせて形成する複数の土台の該溝２０に、棚板を挿入して構成する組み立て展示棚であって、略方形の組板１０は、対向する側辺と対向する上辺２２及び下辺２４により画され、上辺２２と２つの側辺を延長して成る隅各部には夫々方形の切欠き１４が設けられ、下辺２４と２つの側辺を延長して成る隅各部には夫々、方形の切欠き１４と同形の凸部１８が突出して設けられ、上辺２２と下辺２４には中央部に上スリット１２と下スリット１６が穿設され、上スリット１２の長さが１に対して方形の切欠き１４の上下方向の長さが２であり、２枚１組の組板１０を、この一方の下スリット１６を他方の組板１０の下スリット１６に合うように直角に挿入して土台を形成する。【選択図】図１
0003220414.tif 000002
【実用新案登録請求の範囲】
【請求項１】
対向する側辺にそれぞれ対称に溝２０が設けられた略方形の組板１０を、２枚１組に組み合わせて形成する複数の土台２の該溝２０に、棚板４を挿入して構成する組み立て展示棚１であって、前記略方形の組板１０は、前記対向する側辺と対向する上辺２２及び下辺２４により画され、前記上辺２２と２つの前記側辺を延長して成る隅各部には夫々方形の切欠き１４が設けられ、前記下辺２４と２つの前記側辺を延長して成る隅各部には夫々、前記方形の切欠き１４と同形の凸部１８が突出して設けられ、前記上辺２２と前記下辺２４には中央部に上スリット１２と下スリット１６が穿設され、上スリット１２の長さが１に対して前記方形の切欠き１４の上下方向の長さが２であり、前記２枚１組の組板１０を、この一方の下スリット１６を他方の組板１０の下スリット１６に合うように直角に挿入して土台２を形成する組み立て展示棚１。
【請求項２】
前記組板１０を２枚１組に組み合わせて形成する前記土台２を１又は複数上方に積み上げて土台２とする請求項１に記載の組み立て展示棚１であって、
下方の土台２を成す組板１０の上スリット１２を、上方の土台を成す組板１０の上スリット１２に挿入し、前記上方の土台２の切欠き１４を、前記下方の土台２の凸部１８に嵌合させて、積み上げた土台２を形成する組み立て展示棚１。
【請求項３】
前記組板１０の前記上辺２２に、断面視Ｌ字型の溝２０を形成し、
該組板１０の前記下辺２４に、該Ｌ字型の溝２０と嵌合するように断面視逆Ｌ字型の溝２０を形成した、請求項２に記載の組み立て展示棚１。
【考案の詳細な説明】
【技術分野】
【０００１】  本考案は、食器や展示物などを陳列する平板を支える台となる。簡単清潔な取り扱いがいつでもでき、収納も便利である。それと、部材が複雑でなく組み外し移動することもできる組み立て展示棚に関する。
【背景技術】
【０００２】  従来より、簡単に板を組み立てて展示棚を作ったり、展示する高さをそもそも本体を高くすることで、陳列させるものは存在していた。しかし、収納性が高い簡単な板だけを組み合わせて部材を作り、更にそれを上に組み合わせることで、使わないときの収納性と高さを同時に満たしたものはなかった。
【先行技術文献】
【特許文献】
【０００３】特許文献１、特許文献２が開示する棚は、一枚板からなる同一部材を、複数組み合わせで高さを演出し豪華さを出すことが出来なかった。【０００４】
【特許文献１】特開２０１７−１９２６７１号公報
【特許文献２】特開２０１３−２２０２０３号公報
【考案の概要】
【考案が解決しようとする課題】
【０００５】  本考案は、１枚の同形の板を組み合わせるだけで土台（２）を形成でき、しかも上表に積み上げることができる組立式棚を提供する。
【課題を解決するための手段】
【０００６】  本考案に係る組立展示棚は、対向する側辺にそれぞれ対称に溝が設けられた略方形の組板を、２枚１組に組み合わせて形成する複数の土台の該溝に、棚板を挿入して構成する組み立て展示棚であって、
前記略方形の組板は、前記対向する側辺と対向する上辺及び下辺により画され、前記上辺と２つの前記側辺を延長して成る隅各部には夫々方形の切欠きが設けられ、前記下辺と２つの前記側辺を延長して成る隅各部には夫々、前記方形の切欠きと同形の凸部が突出して設けられ、前記上辺と前記下辺には中央部に上スリットと下スリットが穿設され、上スリットの長さが１に対して前記方形の切欠きの上下方向の長さが２であり、前記２枚１組の組板を、この一方の下スリットを他方の組板の下スリットに合うように直角に挿入して土台を形成する。【０００７】  本考案に係る組立展示棚は、前記組板を２枚１組に組み合わせて形成する前記土台を１又は複数上方に積み上げて土台とする請求項１に記載の組み立て展示棚であって、下方の土台を成す組板の上スリットを、上方の土台を成す組板の上スリットに挿入し、前記上方の土台の切欠きを、前記下方の土台の凸部に嵌合させて、積み上げた土台を形成する。【０００８】  本考案に係る組立展示棚は、前記組板の前記上辺に、断面視Ｌ字型の溝を形成し、該組板の前記下辺に、該Ｌ字型の溝と嵌合するように断面視逆Ｌ字型の溝を形成してもよい。
【考案の効果】
【０００９】  本考案に係る組み立て展示棚は、本考案は、上述のとおり構成されているので、次に記載する効果を奏する。狭い所でも、高く組み上げることで、陳列物を多く見せることが出来る。また収納は、平たい板で構成されているので、場所をとらない。【００１０】
【図面の簡単な説明】
【００１１】
【図１】本考案に係る組み立て展示棚１の支柱を構成する板の正面図。
【図２】本考案の組み立て展示棚１の運用斜視図
【考案を実施するための形態】
【００１２】  以下、図面を参照しながら本考案に係る組み立て展示棚１の実施形態について説明する。なお、以下各図面を通して同一の構成要素には同一の符号を使用するものとする。
【００１３】  本考案に係る組立展示棚１は、対向する側辺にそれぞれ対称に溝２０が設けられた略方形の組板１０を、２枚１組に組み合わせて形成する複数の土台２の溝２０に、棚板４を挿入して構成する組み立て展示棚１である。
【００１４】  この略方形の組板１０は、対向する側辺と対向する上辺２２及び下辺２４により画され、上辺２２と２つの側辺を延長して成る隅各部には夫々方形の切欠き１４が設けられる。また、下辺２４と２つの側辺を延長して成る隅各部には夫々、方形の切欠き１４と同形の凸部１８が突出して設けられ、上辺２２と下辺２４には中央部に上スリット１２と下スリット１６が穿設される。
【００１５】  そして、本考案に係る組立展示棚１は、上スリット１２の長さが１に対して方形の切欠き１４の上下方向の長さが２であり、２枚１組の組板１０を、この一方の下スリット１６を他方の組板１０の下スリット１６に合うように直角に挿入して土台２を形成する。
【００１６】  本考案に係る組立展示棚１は、組板１０を２枚１組に組み合わせて形成する土台２を１又は複数上方に積み上げて土台２としてもよい、下方の土台２を成す組板１０の上スリット１２を、上方の土台２を成す組板１０の上スリット１２に挿入し、上方の土台２の切欠き１４を、下方の土台２の凸部１８に嵌合させて、積み上げた土台２を形成する。
【００１７】  本考案に係る組立展示棚１は、組板１０の上辺２２に、断面視Ｌ字型の溝２０を形成し、組板１０の下辺２４に、Ｌ字型の溝２０と嵌合するように断面視逆Ｌ字型の溝２０を形成してもよい。
【００１８】  材料はプラスチック、ガラス、木材、セラミック、金属で、支柱部材としては、図の１種類のみの板状である。これを組み合わせることで、立体的に安定した、そして高さも調節することが出来る陳列台を可能とする。
【実施例１】
【００１９】  図１では両端に３つずつ合計６箇所の凹んだ部分２０は、組み立てたときに、食器や展示物などを上に陳列する板を差し込むための凹み部分である。これはいくつでもかまわない。【００２０】  この板を２枚１組として、片方を１８０度回転させ、更に９０度交差させて１６に差し込む。すると図２のように、２組使って凹み部分のところに板を差込むことで、安定した台ができる。【００２１】  次に、この組まれた、台の上に、更にまったく同じものを、上スリット１２が入るように上から差し込むことで、板を差し込む凹み部分の溝２０は、２倍に高くなる。緩衝しないように、長さ関係は凹み部分上スリット１２の凹み距離と、辺１４、１８で１：２と固定する。また各辺の長さの関係は（符号１６）＝（（符号２６）−４×（符号１２））÷２となっている。【００２２】  ２組の台のあわせ面は、手で回すと回転して安定性がないため、底辺２４はＬ字型に板が半分板厚が削り取られている。また差し込んだときに、上辺２２が、はまり込んで固定するように、上辺２２は下辺２４とは逆の面がＬ字型に板が半分板厚が削り取られている。
【実施例２】
【００２３】  実施例の説明では、図２にある２枚で組まれた台を１組とし、２組のあいだに凹み部分に入るように、板を渡す。この板の上に、食器や展示品を陳列する。また必要に応じて、これとまったく同じく構成された台を、上スリット１２を使って上から台に差し込むことで、土台２の高さを２倍に高くし、スペースを有効に活用したり、豪華に見せたりすることが出来る。【００２４】  本考案は、上述のとおり構成されているので、次に記載する効果を奏する。すなわち、狭い所でも、高く組み上げることで、陳列物を多く見せることが出来る。また収納は、平たい板で構成されているので、場所をとらない。【００２５】  その他、本考案は、その主旨を逸脱しない範囲で当業者の知識に基づき種々の改良、修正、変更を加えた態様で実施できるものである。
【産業上の利用可能性】
【００２６】  本考案に係る組み立て展示棚は、食堂など食事をもられた食器が展示されることに使用されると同時に、店舗や催事において、商品の陳列台として利用することができる。
【符号の説明】
【００２７】１          組み立て展示棚
２          土台
４          棚板
１０        組板
１２        上スリット
１４        切欠き
１６        下スリット
１８        凸部
２０        溝
２２        上辺
２４        下辺
２６        板の総高さ
【図１】
0003220414.tif 000003
【図２】
0003220414.tif 000004